(57)【要約】      （修正有）【課題】任意の筆記具を自由な位置で保持し、それを手帳などの自由な位置に留めることができ、また手帳などが勝手に開かないように表紙を抑えることのできる保持具を提供する。【解決手段】平面展開したとき、筆記具保持部を中心にして、左右の回転対称の位置に、押圧部ならびに紙バサミ部がそれぞれ並んでいる１枚の薄板材を、巻回して立体に形成し、左右の筆記具保持部と押圧部の間、ならびに押圧部と紙バサミ部の間で立体的に交差させた筆記具保持具。【選択図】図７
0003175949.tif 000002
【実用新案登録請求の範囲】
【請求項１】
平面展開したとき、筆記具保持部を中心にして、左右の回転対称の位置に、
押圧部ならびに紙バサミ部がそれぞれ並んでいる１枚の薄板材を、
巻回して立体に形成し
左右の筆記具保持部と押圧部の間、ならびに押圧部と紙バサミ部の間で、立体的に交差させたことを特徴とする筆記具保持具。
【請求項２】
請求項１の筆記具保持具において、
紙バサミの内側にすべり止めを設けたことを特徴とする筆記具保持具。
【請求項３】
請求項１の筆記具保持具において、
一方の紙バサミ部の端に引掛部を形成して、手帳の開放防止用のゴムバンドを引っ掛けるようにしたことを特徴とする筆記具保持具。
【考案の詳細な説明】
【技術分野】
【０００１】
本考案は、手帳などに筆記具を固定して一体として携帯できるようにする筆記具保持具に関するものである。
【背景技術】
【０００２】
従来は、筆記具を手帳などに固定するためには、図１に示すように、手帳１の表紙１１に固定した筆記具留め１２に筆記具３を通していた。
【０００３】
この方法では、決まった太さの筆記具にしか対応できない。また、手帳などが勝手に開くことを防ぐ機能は無いという問題が有った。
【０００４】
また、特許公開２００２−３０１８９６号公報に示されるように、ポケットや手帳などの上下寸法に応じて最適な位置に筆記具を保持するために、筆記具のクリップ部を筆記具の本体に対してスライドできるようにして位置を変える方法が提案されていた。
【０００５】
この方法では、筆記具に特別なクリップのスライド構造が必要であり、そういう構造を持たない筆記具では使えないという問題が有った。
【先行技術文献】
【特許文献】
【０００６】
【特許文献１】特許公開２００２−３０１８９６号公報
【考案の概要】
【考案が解決しようとする課題】
【０００７】
本考案は、上記の問題を解決するため、任意の筆記具を自由な位置で保持し、それを手帳などの自由な位置に留めることができ、また手帳などが勝手に開かないように表紙を抑えることのできる保持具を提供するものである。
【課題を解決するための手段】
【０００８】
本考案は、請求項１に示す筆記具の保持具であり、
平面展開したとき、筆記具保持部を中心にして、左右の回転対称の位置に、
押圧部ならびに紙バサミ部がそれぞれ並んでいる１枚の薄板材を、巻回して立体に形成し、
左右の筆記具保持部と押圧部の間、ならびに押圧部と紙バサミ部の間で立体的に交差させたことを特徴とする筆記具保持具である。
【０００９】
また、請求項２に示す筆記具の保持具であり、
紙バサミ部の内側にすべり止めを設けたことを特徴とする筆記具保持具である。
【００１０】
また、請求項３に示す筆記具の保持具であり、
一方の紙バサミ部の端に引掛部を形成して、手帳の開放防止用のゴムバンド引っ掛けるようにしたことを特徴とする筆記具保持具である。
【００１１】
さらに、押圧部ならびに紙バサミ部の平面形状、あるいは表面の模様などをデザインしたりすることもできる。
【考案の効果】
【００１２】
本考案によれば、平面状の材料を切り抜いて、簡単な曲げ加工をするだけで、筆記具と手帳類を一体で保持して携帯することが可能になる筆記具保持具が低廉なコストで作成できる。
【図面の簡単な説明】
【００１３】
【図１】ペン挿入部を備えた手帳の見取り図
【図２】筆記具保持具の見取図
【図３】筆記具保持具の平面展開図
【図４】筆記具を取り付ける操作を示す見取図
【図５】筆記具を取り付けた状態を示す見取図
【図６】手帳を取り付ける操作を示す見取図
【図７】筆記具と手帳を取り付けた状態を示す見取図
【図８】紙バサミ部の内側に設けた滑り止めの見取図
【図９】紙バサミ部に形成した引掛部の見取図
【図１０】手帳を留めるゴムバンドを外す状態を示す概念図
【考案を実施するための形態】
【実施例１】
【００１４】
以下に図を用いて、本考案の筆記具保持具の構造について説明する。
【００１５】
図２（ａ）は、本考案の筆記具保持具２の見取図である。全体は、薄板材料を２回半巻回した構造である。中央に半円筒状の筆記具保持部２１があり、半円筒のそれぞれの端から連結部ｒａ２０１および連結部lａ２０２がのびて押圧部２２に達し、さらに押圧部２２から連結部ｒｂ２０３および連結部ｌｂ２０４を経由して紙バサミ部２３に至っている。
【００１６】
図３は、これを分り易くするために、筆記具保持具２を構成する薄板材料を平面に展開した状態を表す図である。ここで、筆記具保持部２１の部分の巾をＷとする。
【００１７】
図３で見られる通り、中央に筆記具保持部２１が有って、その左右に巾が１／２Ｗよりやや狭い連結部ｒａ２０１および連結部ｌａ２０２を経由して、押圧部２２が伸びており、さらに先には、次の１／２Ｗよりやや巾の狭い連結部ｒｂ２０３および連結部ｌｂ２０４を経由して、紙バサミ部２３に至っている。
【００１８】
筆記具保持部２１から左右に伸びる部分は、筆記具保持部２１の中心であるＯ点を対象点として回転対象の形状である。
【００１９】
図２（ａ）で見られる通り、筆記具保持部２１と押圧部２２の間にある連結部ｒａ２０１および連結部ｌａ２０２、また押圧部２２と紙バサミ部２３の間にある連結部ｒｂ２０３および連結部ｌｂ２０４の高さは、全体の高さの１／２よりやや低くなっており、それぞれが上下に別れて立体的に交差している。
【００２０】
中央の筆記具保持部２１から見て、初めの左右の巾の狭い連結部分同士が、上と下に別れて立体的に交差する。２番目の巾の狭い連結部分同士が、同じように上と下に別れて立体的に交差する。
【００２１】
図２（ｂ）は筆記具保持具２の構造を見易くするために、筆記具保持部２１の中央において、図３に示す中央線Ａ−Ａ’で切り離して、上下に分離して示したものである。
【００２２】
図３に示したように、本考案の筆記具保持具２０は１枚の平板の材料によって構成されており、平板を切り抜き、また折り曲げることで製作できる。
【００２３】
平板の材料は、厚さ０．４ｍｍ程度の真鍮板が好適である。ただし、それに限らず、適当な弾性を持つ金属、プラスチック材料を使うこともできる。
【００２４】
次に、本考案の筆記具保持具２の機能について説明する。図４は筆記具３を取り付ける方法を示す図である。図４（ａ）に矢印で示す位置、すなわち押圧部２２において展開図で見た時に中心に近い個所を、図４（ｂ）に示すように指でつまみ、適当な力をかけると、筆記具保持部２１は左右から開く力がかかり、直径が拡がる。
【００２５】
筆記具３を円筒状をなす筆記具保持部２１に挿入して、つまむ力を緩めると材料の弾力で筆記具保持部２１の直径が縮まり、図５に示すように、筆記具３を保持する。
【００２６】
次に、図６は手帳などに筆記具保持具２を取り付ける方法を示す図である。図６では、煩雑を避けるために筆記具を描いていないが、筆記具が筆記具保持部２１に挿入されていても構わない。
【００２７】
図６（ａ）に矢印で示す位置、すなわち押圧部２２において展開図で見た時に中心に遠い個所を、図６（ｂ）に示すように指でつまみ、適当な力をかけると、２つの紙バサミ部２３の間は左右に開く。
【００２８】
その状態で、左右の紙バサミ部２３の間に手帳などの端を挿入する。図７に示すように、指を放すと筆記具保持具２は、材料の弾力によって手帳などの端を咥えて固定される。図７には、煩雑を避けるために図６では省略してあった筆記具３も加えて描いてある。
【００２９】
このようにして、本考案の筆記具保持具２によって、筆記具は手帳などに固定された。筆記具が手帳などと常に一緒にあるので、いちいち探したりする必要が無く、使い勝手が良い。また、紙バサミ２３によって抑えられているので、手帳が勝手に開くことがない。
【実施例２】
【００３０】
図８は筆記具保持具２を上からみたもので、紙バサミ部２３以外を省略してある。図８に示すように、紙バサミ部２３の内側、すなわち手帳などと接する側に適宜な方法で滑り止め２４を設けてある。
【００３１】
このようにすると、筆記具保持具２に多少の力がかかっても、ずれたり、外れたりすることがない。
【００３２】
滑り止めは、摩擦係数の高いゴムあるいはプラスチックなどの平板または表面に凹凸を付けた板で製作する。
【実施例３】
【００３３】
図９に示すように、片方の紙バサミ部２３の先端を上向きに曲げて引掛部２５を形成してある。この筆記具保持具２は、図１０（ａ）に示す、表紙の開放を防ぐゴムバンド１３を備えた手帳と組合せて使うことを想定したものである。
【００３４】
このような手帳では、表紙が勝手に開かないという利点が有るが、手帳を開こうとする時には、ゴムバンド１３をいちいち外さなくてはならない。
【００３５】
そこで、図１０（b）に示すように、紙バサミ部２３の先端の引掛部２５を手帳などのゴムバンド１３に引っ掛けておく。手帳１などを使う時には、筆記具保持具２を引っ張って外すと、図１０（c）に示すように、ゴムバンド１３が一緒に外れる。ゴムバンド１３をいちいち外す手間を省くことが可能である。
【００３６】
図１０（ｂ）、図１０（ｃ）では、煩雑を避けるために筆記具が保持されていない状態を描いてあるが、勿論、筆記具が有っても操作は可能である。
【産業上の利用可能性】
【００３７】
筆記具と手帳などを一緒に保持できる筆記具保持具に利用可能である。
【符号の説明】
【００３８】
１  手帳
１１  表紙
１２  筆記具留め
１３  ゴムバンド
２  筆記具保持具
２１  筆記具保持部
２２  押圧部
２３  紙バサミ部
２４  滑り止め
２５  引掛部
２０１  連結部ｒａ
２０２  連結部ｌａ
２０３  連結部ｒｂ
２０４  連結部ｌｂ
３  筆記具
３１  クリップ
【図１】
0003175949.tif 000003
【図２】
0003175949.tif 000004
【図３】
0003175949.tif 000005
【図４】
0003175949.tif 000006
【図５】
0003175949.tif 000007
【図６】
0003175949.tif 000008
【図７】
0003175949.tif 000009
【図８】
0003175949.tif 000010
【図９】
0003175949.tif 000011
【図１０】
0003175949.tif 000012